(57)【要約】【課題】  貨幣投入口から投入された貨幣の異常の有無を検出し、正常貨幣を収納し異常貨幣を貨幣投入口へ返却するように構成された貨幣判別装置であって、異常検出時に異常の種類別に異常の累計発生件数を記憶する記憶手段を備え、且つ返却された貨幣の再投入が短時間の間に繰り返された場合に、当該行為が貨幣判別装置の磨耗や劣化を判断する際の判断ミス誘発要因にならないように構成された貨幣判別装置を提供することを。【解決手段】  貨幣投入口から投入された貨幣の異常の有無を検出し、正常貨幣を収納し異常貨幣を貨幣投入口へ返却するように構成された貨幣判別装置であって、異常検出時に異常の種類別に異常の累計発生件数を記憶する記憶手段と、記憶手段の作動後所定時間に亙って記憶手段の作動を禁止する禁止手段とを備える。【選択図】  図１
2005062985.tif 000002
【特許請求の範囲】
【請求項１】
貨幣投入口から投入された貨幣の異常の有無を検出し、正常貨幣を収納し異常貨幣を貨幣投入口へ返却するように構成された貨幣判別装置であって、異常検出時に異常の種類別に異常の累計発生件数を記憶する記憶手段と、記憶手段の作動後所定時間に亙って記憶手段の作動を禁止する禁止手段とを備えることを特徴とする貨幣判別装置。
【請求項２】
異常検出時に異常の種別を所定時間に亙って表示する表示手段を備えることを特徴とする請求項１に記載の貨幣判別装置。
【請求項３】
表示手段は、返却された貨幣が貨幣投入口から取り出されると表示を停止することを特徴とする請求項２に記載の貨幣判別装置。
【発明の詳細な説明】
【技術分野】
【０００１】
本発明は、貨幣判別装置に関するものである。
【背景技術】
【０００２】
貨幣投入口から投入された貨幣の異常の有無を検出し、正常貨幣を収納し異常貨幣を貨幣投入口へ返却するように構成された貨幣判別装置であって、異常検出時に異常の種類別に異常の累計発生件数を記憶する記憶手段を備えることを特徴とする貨幣判別装置が特許文献１に開示されている。異常の種類別に異常の累計発生件数を把握することにより、貨幣判別装置の磨耗や劣化を検知し、故障の発生前に修理、調整を行うことができる。
【特許文献１】特公平６−５６６３１
【発明の開示】
【発明が解決しようとする課題】
【０００３】
返却された貨幣が返却直後に再投入され、返却と再投入とが短時間の間に繰り返される場合がある。従って、異常を検出する度毎に異常の累計発生件数を記憶すると、再投入が繰り返された貨幣の異常と同一種類の異常の累計発生件数が他種類の異常の累計発生件数に比べて突出する場合を生じ、貨幣判別装置の磨耗や劣化の程度を判断する際に、判断ミスを引き起こすおそれがある。
本発明は上記問題に鑑みてなされたものであり、貨幣投入口から投入された貨幣の異常の有無を検出し、正常貨幣を収納し異常貨幣を貨幣投入口へ返却するように構成された貨幣判別装置であって、異常検出時に異常の種類別に異常の累計発生件数を記憶する記憶手段を備え、且つ返却された貨幣の再投入が短時間の間に繰り返された場合に、当該行為が貨幣判別装置の磨耗や劣化を判断する際の判断ミス誘発要因にならないように構成された貨幣判別装置を提供することを目的とする。
【課題を解決するための手段】
【０００４】
上記課題を解決するために、本発明においては、貨幣投入口から投入された貨幣の異常の有無を検出し、正常貨幣を収納し異常貨幣を貨幣投入口へ返却するように構成された貨幣判別装置であって、異常検出時に異常の種類別に異常の累計発生件数を記憶する記憶手段と、記憶手段の作動後所定時間に亙って記憶手段の作動を禁止する禁止手段とを備えることを特徴とする貨幣判別装置を提供する。
異常が検出され、記憶手段が異常の種類別に異常の累計発生件数を記憶すると、その後所定時間に亙って記憶手段の作動が禁止されるので、返却された貨幣の再投入が短時間の間に繰り返されても、記憶手段に記憶された種類別の異常の累計発生件数は増加しない。従って、返却された貨幣の再投入が短時間の間に繰り返されても、当該行為は貨幣判別装置の磨耗や劣化を判断する際の判断ミス誘発要因とならない。
【０００５】
本発明の好ましい態様においては、貨幣判別装置は、異常検出時に異常の種別を所定時間に亙って表示する表示手段を備える。
異常検出時に異常の種別を所定時間に亙って表示することにより、返却された貨幣の再投入が短時間の間に繰り返される事態の発生を防止することができる。
【０００６】
本発明の好ましい態様においては、表示手段は、返却された貨幣が貨幣投入口から取り出されると表示を停止する。
返却された貨幣が貨幣投入口から取り出されるまで異常の種別を表示すれば、貨幣投入者は返却理由を十分に認識することができる。
【発明の効果】
【０００７】
本発明に係る貨幣判別装置においては、貨幣の異常が検出され、記憶手段が異常の種類別に異常の累計発生件数を記憶すると、その後所定時間に亙って記憶手段の作動が禁止されるので、返却された貨幣の再投入が短時間の間に繰り返されても、記憶手段に記憶された種類別の異常の累計発生件数は増加しない。従って、返却された貨幣の再投入が短時間の間に繰り返されても、当該行為は貨幣判別装置の磨耗や劣化を判断する際の判断ミス誘発要因とならない。
【発明を実施するための最良の形態】
【０００８】
本発明の実施例に係る紙幣判別装置を説明する。
【実施例】
【０００９】
図１に示すように、紙幣判別装置Ａは、紙幣投入口１と、投入検知センサー２と、搬送ベルト３ａ、ローラー３ｂ、３ｃ、３ｄ、３ｅにより構成される紙幣搬送装置３と、紙幣判別センサー４と、紙幣格納庫５と、表示器６と、制御装置７とを備えている。紙幣判別装置Ａは、図示しない自動販売機の前面パネルに取り付けられている。
【００１０】
紙幣投入口１に紙幣が投入され、投入検知センサー２が紙幣を検知すると、制御装置７が紙幣搬送装置３を作動させて、紙幣判別装置Ａ内に紙幣を取り込む。紙幣が紙幣判別センサー４を通過する際に、贋物紙幣、紙幣幅異状、紙幣長異状、紙幣の重送（２枚以上重なっていること）、紙幣の連鎖（２枚以上繋がっていること）、紙幣の斜行（所定角度以上に傾いていること）等の異状の有無を紙幣判別センサー４が検出する。
制御装置７は、異状が検出されなかった紙幣を正常紙幣と認識し、紙幣搬送装置３の作動を継続させて紙幣格納庫５に収納する。
【００１１】
紙幣判別センサー４が異状を検出すると、制御装置７は、異常の種類別に異常の累計発生件数を記憶し、異状の種別を表示器６に表示し、紙幣搬送装置３を逆方向に作動させて紙幣を紙幣投入口１へ返却する。返却した紙幣が紙幣投入口１から取り出されたことを投入検知センサー２が検知すると、制御装置７は、表示器６の表示を停止させる。
制御装置７は、異状の検出に伴って異常の種類別に異常の累計発生件数を記憶すると、当該記憶動作の禁止を所定時間に亙って自らに課す。従って、返却された紙幣の再投入と異状の再検出と紙幣の再返却とが短時間の間に繰り返されても、記憶された種類別の異常の累計発生件数は変化しない。
【００１２】
制御装置７が記憶した種類別の異常の累計発生件数を、通信変換器を介してパソコン等に取り出し、当該累計発生件数を把握することにより、貨幣判別装置Ａの磨耗や劣化を検知し、故障の発生前に修理、調整を行うことができる。
返却された紙幣の再投入と異状の再検出と紙幣の再返却とが短時間の間に繰り返されても、記憶された種類別の異常の累計発生件数は変化しないので、返却された紙幣の再投入行為が短時間の間に繰り返されても、当該行為は貨幣判別装置Ａの磨耗や劣化を判断する際の判断ミス誘発要因とならない。
異常検出時に異常の種別が所定時間に亙って表示器６に表示されることにより、返却された紙幣の再投入が短時間の間に繰り返される事態の発生が防止される。
返却された紙幣が紙幣投入口１から取り出されるまで異常の種別が表示器６に表示されるので、紙幣投入者は返却理由を十分に認識することができる。
【産業上の利用可能性】
【００１３】
本発明は紙幣のみならず硬貨を含む貨幣全般の判別装置に適用可能である。
【図面の簡単な説明】
【００１４】
【図１】本発明の実施例に係る紙幣判別装置の断面図である。
【符号の説明】
【００１５】
Ａ  紙幣判別装置
１  紙幣投入口
２  投入検知センサー
３  紙幣搬送装置
４  紙幣判別センサー
５  紙幣格納庫
６  表示器
７  制御装置
【図１】
2005062985.tif 000003